(57)【要約】      （修正有）【課題】点検作業にかかる労力を軽減し、より管理作業が簡便な照明装置及び照明点検システムを提供する。【解決手段】照明点検システムは、照明装置に、光源と、商用電源からの電源を供給して前記光源を点灯させる光源点灯回路と、商用電源からの供給断絶時にバッテリからの電源を供給して光源を点灯させるバッテリ回路と、日時情報を含む点検指令であって外部から送信される無線信号を受信する受信回路と、受信回路で受信された点検指令により光源点灯回路と商用電源との接続を疑似的に遮断し、かつ、バッテリ回路を動作させてバッテリの点検を実施する演算制御装置と、演算制御装置による光源及びバッテリの点検結果と共に点検指令に含まれる日時情報を記憶する記憶装置と、記憶装置に記憶された点検結果と日時情報とを外部に送信する送信回路と、を備える。【選択図】図４
2018056038.tif 000002
【特許請求の範囲】
【請求項１】
光源と；
商用電源からの電源を供給して前記光源を点灯させる光源点灯回路と；
前記商用電源からの供給断絶時にバッテリからの電源を供給して前記光源を点灯させるバッテリ回路と；
日時情報を含む点検指令であって外部から送信される無線信号を受信する受信回路と；
前記受信回路で受信された点検指令により前記光源点灯回路と前記商用電源との接続を疑似的に遮断し、かつ、前記バッテリ回路を動作させてバッテリの点検を実施する演算制御装置と；
前記演算制御装置による前記光源及び前記バッテリの点検結果と共に前記点検指令に含まれる日時情報を記憶する記憶装置と；
前記記憶装置に記憶された点検結果と日時情報とを外部に送信する送信回路と；
を備えたことを特徴とする照明装置。
【請求項２】
前記演算制御装置は、日時情報を含む点検指令ではなく点検開始指令だけを含む点検指令を前記受信部で受信した場合にはバッテリの点検を実施しないことを特徴とする請求項１記載の照明装置。
【請求項３】
請求項１又は２に記載の照明装置と；
日時情報の設定と前記送受信回路に前記日時情報を含む点検指令の送信が可能であるとともに、前記送信回路からの前記点検結果と前記日時情報とを受信することが可能である携帯端末と；
を備えることを特徴とする照明システム。
【請求項４】
前記記憶装置は、前記光源の積算通電時間情報を記憶可能であり、
前記携帯端末は、前記記憶装置に記憶された前記光源の積算通電時間情報を受信可能であることを特徴とする請求項３記載の照明システム。
【発明の詳細な説明】
【技術分野】
【０００１】
本発明の実施形態は照明装置および照明システムに関する。
【背景技術】
【０００２】
非常灯や誘導灯といった防災光源は例えばビルの通路や部屋に設置され、火災や地震などにより商用電源が停電した際には光源を非常点灯し、スムーズな避難を可能にする。すなわち防災光源は通常時には商用電源で光源を点灯するとともにバッテリ回路のバッテリに充電し、商用電源が停電となったときにはバッテリ回路から照明装置に電源を供給して光源を非常点灯するようにしている。
【０００３】
防災光源は消防法により、商用電源からの供給断絶時に一定時間光源が非常点灯することを確認する定期点検が義務付けられているが、防災光源の設置数が膨大な大型施設においては、点検作業者は一つの装置ごとに一定時間を拘束されるとともに、点検日時や結果を記録しなくてはならないため、作業にかかる労力が増大する課題があった。
【０００４】
また、例えば非常灯などの防災照明装置は、正確な動作を維持して安全を確保するため、設置から数年後に交換推奨目安が設けられている。従来交換推奨目安の確認は、照明装置設置時に設置者が照明装置本体にシールなどで設置年月日を記入するなどしてきた。しかし天井面等高所に設置されることの多い防災照明装置では、装置本体に記載した年月日を後から確認するのは容易ではなく、多数の防災照明装置を備える施設などでは照明装置ごとの交換推奨目安を管理することも多大な労力がかかっていた。
【先行技術文献】
【特許文献】
【０００５】
【特許文献１】特開２００３−９２０１３号公報
【発明の概要】
【発明が解決しようとする課題】
【０００６】
本発明が解決しようとする課題は、より簡便な照明の点検管理を行える照明点検管理システムを提供することである。
【課題を解決するための手段】
【０００７】
上記課題を解決するために、実施形態の照明点検システムは、光源と、商用電源からの電源を供給して前記光源を点灯させる光源点灯回路と、前記商用電源からの供給断絶時にバッテリからの電源を供給して前記光源を点灯させるバッテリ回路と、日時情報を含む点検指令であって外部から送信される無線信号を受信する受信回路と、前記受信回路で受信された点検指令により前記光源点灯回路と前記商用電源との接続を疑似的に遮断し、かつ、前記バッテリ回路を動作させてバッテリの点検を実施する演算制御装置と、前記演算制御装置による前記光源及び前記バッテリの点検結果と共に前記点検指令に含まれる日時情報を記憶する記憶装置と、前記記憶装置に記憶された点検結果と日時情報とを外部に送信する送信回路と、を備える。
【０００８】
本発明によれば、点検作業にかかる労力を軽減し、より簡便な照明の点検管理を行うことが可能である。
【図面の簡単な説明】
【０００９】
【図１】実施形態の照明点検システムの概略を示した図。
【図２】図１の点検を行う際のフローチャート。
【図３】図１の携帯端末2の構成例を示した図。
【図４】図１のシステム制御に関する構成の概略を示した図。
【発明を実施するための形態】
【００１０】
以下、発明を実施するための実施形態について説明する。
【００１１】
実施形態は図１ないし図４を参照して説明する。
【００１２】
本発明による実施例としての照明点検システムは、照明装置1と、携帯端末2とを備え、照明装置1は、光源11と、モニタランプ111と、光源点灯回路12と、停電検出回路121と、バッテリ回路13と、送受信回路14と、演算制御装置15と、記憶装置16とを有し、携帯端末2は、表示部21と、操作部22と、送受信部23と、送受信回路24と、制御部25を有する。制御部25は、日時設定機能を有する日時設定部251と、アドレス設定機能を有するアドレス設定部252を備える。
【００１３】
光源点灯回路12は、商用電源4からの交流電源を使用して照明装置1に供給する回路であり、通常時に動作状態にあり照明装置1の光源11を点灯させる。通常点灯モードは、光源点灯回路12により光源11が点灯されているモードをいう。
【００１４】
バッテリ回路13は、通常時には商用電源4からの交流電源をいったん直流電源に変換し、変換された直流電源を充電するものである。そして、商用電源4からの供給が遮断されたとき、バッテリからの直流電源を照明装置1に供給する。非常点灯モードとは、バッテリからの直流電源により光源11が点灯されているモードをいう。
【００１５】
本発明の実施形態による照明装置1は、通常点灯モードにおいては商用電源4から供給され光源点灯回路12を介して点灯する光源11と、点検実行中であることを示して点灯または点滅するモニタランプ111を備える。また、携帯端末2からの指令や信号を受信する送受信回路14と、送受信回路から入力されて種種の制御を行う演算制御装置15と、携帯端末2から受信した日時情報やアドレス情報および点検指令による点検の結果である光源種別、光源状態、電池状態などの状態情報を記憶する記憶装置16を備える。
【００１６】
光源11は、停電検出回路121によって商用電源4からの供給断絶を検出すると、演算制御装置15によってバッテリ回路13による非常点灯モードに切り替わる。モニタランプ111は、携帯端末2からの点検指令を受信して演算制御装置15により光源11が非常点灯モードとなって点灯する際に点灯または点滅する。
【００１７】
通常点灯モードにおいて演算制御装置15は、例えばマイクロコンピュータ等によって構成され、照明装置1が商用電源4より供給を受けて光源点灯回路12により光源11の点灯を行うとき、商用電源4からの交流電源を直流電源に変換してバッテリ回路13に充電を行うよう制御する。また、停電などで商用電源4からの供給が途絶えた際、バッテリ回路13に充電していた電源から供給して光源11を点灯するよう制御する。
【００１８】
また、演算制御装置15は、携帯端末2から送受信回路14を介して日時情報をともなう点検指令が入力されると、光源点灯回路12と商用電源4との接続を遮断して疑似停電状態とし、バッテリ回路13から光源へ電源の供給が行われる非常点灯モードとなり、点検中はモニタランプ111が点灯または点滅するように制御を行う。
【００１９】
記憶装置16は、積算通電時間と、携帯端末2により設定されたアドレスと、点検終了後に演算制御装置15によって点検結果および照明装置1の状態と点検を行った際に携帯端末2から入力された日付等の日時情報を記憶する。
【００２０】
また、送受信回路14を介して履歴確認指令が入力されると、演算制御装置15が動作し、記憶装置16に記憶された設定されたアドレスと、積算通電時間と、以前の点検結果と、それに付随する日時情報を、送受信回路14を介して携帯端末2の送受信回路24に送信する。これにより、点検日時をはじめとした照明装置1の情報を簡単に記憶し、表示部21に呼び出すことができる。
【００２１】
本発明の実施形態による携帯端末2は、例えば表示部21と操作部22および送受信部23を備え、無線信号としての赤外線等による指令や信号を送受信回路24を介して送受信部23により送受信する。また内部に送受信回路24と制御部25を備える。指令には、点検指令、履歴確認指令などがあり、信号にはリセット信号などがある。制御部25に日時設定機能を有する日時設定部251を備え、例えば操作部22の日付ボタン226を押下し、アップダウンボタン223を操作することにより、日付等の任意の日時情報を携帯端末2に設定できる。また、日時設定後は日付ボタン226を押下することで現在時刻を表示部21に呼び出せる。  
【００２２】
携帯端末2に設定した日時情報は、無線信号により点検指令とともに送受信回路24を介して照明装置1に送信され、点検終了時に点検結果とともに照明装置1の記憶装置16に記憶される。携帯端末2が履歴確認指令を該照明装置1に送信した際、記憶装置16に記憶された点検実行した日時情報をともなう点検結果の履歴が携帯端末2に送信される。
【００２３】
無線信号は、一回の送信の中であっても周波数のハイとローの組み合わせによって設定されるデータコマンドに、点検実行指令や日時情報等を割り当てた信号が組み合わされて同時に送信されることが可能である。点検実行ボタン221を押下することにより、点検実行指令と日時情報がともに送受信回路14に受信されることで演算制御装置15は点検実行制御を行う。
【００２４】
また、設定したアドレスを選択して状態確認ボタン222を押下することにより任意の照明装置の日時情報や光源状態情報を含む点検履歴を照明装置から携帯端末へ送信させることができる。
【００２５】
また、携帯端末2は制御部25にアドレス設定機能を有するアドレス設定部252を備え、例えば操作部22の設定ボタン224を押下し、アップダウンボタン223を操作して任意の数字を選択し、送信ボタン225を押下して設定したい照明装置1に送信することにより照明装置1にアドレスを設定でき、照明装置1の記憶装置16に前記任意の数字がアドレスとして記憶される。
【００２６】
携帯端末2から状態確認ボタン23を押下して呼び出し指令を送信することにより、受信した照明装置1は記憶装置16に記憶されたアドレス情報と状態情報を携帯端末2に送信する。これにより前回の点検から時間が経ち照明装置1のアドレスが不明になった場合、携帯端末2によって容易にアドレス情報を呼び出すことが可能である。
【００２７】
照明装置1ごとの点検日時が明確になることで次回の点検日時を把握しやすく、かつアドレスごとに光源状態情報を得られるため、従来点検作業者が点検日時および結果を手動で記憶・整理していた膨大な手間を大きく削減でき、効率的な管理が可能となる。
【００２８】
照明装置1ごとの積算通電時間を照明装置1の記憶装置16に記憶でき、記憶した情報を携帯端末2およびその他の情報端末3に送信することにより、アドレスを割り振った照明装置1ごとの積算通電時間を記憶でき、かつ情報端末3によって記憶を整理できるため、照明装置1の使用時間がわかり、交換推奨時期の確認や管理がきわめて容易となる。
【００２９】
また、例えば携帯端末2を通じて他のタブレット端末やパーソナルコンピュータ等の情報端末3とアドレス設定を行った照明装置1に関する点検履歴の送受信を行うことで、複数の照明装置1の点検履歴管理をより手軽に効率よく行うことができる。アドレスを割り振った照明装置1ごとに点検履歴を確認できるため、大型施設など大量の防災光源を設置している場所であっても、階数ごとやブースごとといった区切りで日時をずらして少数ずつ照明装置1の点検を行うことができ、作業人数や作業時間を無理なく割り当てることも可能になる。
【００３０】
本発明のいくつかの実施形態を記載したが、これらの実施形態は、例として提示したものであり、発明の範囲を限定することは意図していない。例えば照明装置1は天井に配設されることの多い非常灯であっても良いし、誘導経路に配設される誘導灯であっても良い。またはその他の点検が必要な照明装置であっても良い。携帯端末2は、例えばリモートコントローラであっても良いし、アプリケーション等によって照明点検システムに対応した携帯電話やタブレット端末であっても良い。また、例えば日時情報とは日付のみの情報であっても良いし、年や時間、曜日情報を含むものであっても良い。これら新規な実施形態は、その他の様々な形態で実施されることが可能であり、発明の要旨を逸脱しない範囲で、種種の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
1…照明装置
11…光源
111…モニタランプ
12…光源点灯回路
121…停電検出回路
13…バッテリ回路
14…送受信回路
15…演算制御装置
16…記憶装置
2…携帯端末
21…表示部
22…操作部
221…点検実行ボタン
222…状態確認ボタン
223…アップダウンボタン
224…設定ボタン
225…送信ボタン
226…日付ボタン
23…送受信部
24…送受信回路
25…制御部
251…日時設定部
252…アドレス設定部
3…情報端末
4…商用電源
【図１】
2018056038.tif 000003
【図２】
2018056038.tif 000004
【図３】
2018056038.tif 000005
【図４】
2018056038.tif 000006